(57)【要約】【課題】  コンデンサに電荷をためようとすると瞬時に電圧（電場）が現われ、それによるポテンシャルエネルギ−が反作用となり、エネルギ−保存の法則に支配されてしまう。  もしもこの反作用が一瞬でも遅れると、空間からエネルギ−を取り出すことができる。【解決手段】  図のような４本線の分布定数線路は、自己インダクタンスがゼロに近づく為、波動インピ−ダンスがゼロに近づき、進行波の伝播速度が通常の二線路の限界を超え、超光速になった。（観測ずみ）  もしも波動インピ−ダンスがゼロなら、エネルギ−を要せず線路に大量の電荷を送り込むことができる道理である。そして進行波が止まると法則どおりＱ＝ＣＶとなる大きな電圧（電場）が発現する道理である。つまり前記の反作用が一瞬遅れる道理である。そしてこれに近い現象が実際に起きたのである。（実験事実）  この原理を利用して、実際に空間エネルギ−を取り出す電源装置を作ることができる。【選択図】図１
2009077615.tif 000002
【特許請求の範囲】
【請求項１】
互いに絶縁した２Ｎ本（Ｎは２以上の整数）の導線を、各導線の断面中心が正２Ｎ角形または一直線となるように束ねた、ある適当な長さの２Ｎ本線路があり、互いに１本おきにＮ線をつないだ一対のＮ結線端子（隣接する導線に互いに逆電流が流れる結線）を連結することで、２Ｎ本の分布定数線路を形成し、一方その分布定数線路の途中においては、前記Ｎ結線端子のＮ結線を、Ｎ対に分離して、互いに適当な間隔に離した状態の端子を、複数箇所配置したことによるマルチタップを備えた超光速線路。
【請求項２】
前記マルチタップに、その各タップに同じ電流を流すための無誘導コイル群を設け、同じ極性となるタップ同士を連結して一対の出力端子とすることで、一対の集中定数線路を併設したことを特徴とする請求項１に記載の超光速線路。
【請求項３】
請求項２に記載の超光速線路を用いて、前記Ｎ結線端子から前記分布定数線路へ電荷を供給し、前記一対の集中定数線路から、増大したポテンシャルエネルギ−を取り出すことを特徴とする電源装置。
【請求項４】
請求項２に記載の超光速線路を用い、前記分布定数線路を巻枠に巻いて小型化し、前記一対の集中定数線路の形成を容易にし、前記分布定数線路の線路長に適応した波長のＬＣ共振回路を設け、それによる電荷を前記Ｎ結線端子から前記分布定数線路へ供給することと、前記一対の集中定数線路から増大したポテンシャルエネルギ−を再び前記ＬＣ共振回路に戻すこととを、切り換えスイッチが行い、その繰り返しサイクルによって前記超光速線路のポテンシャルエネルギ−が自己増殖するようにした、請求項３に記載の電源装置。
【請求項５】
前記切り換えスイッチはトランジスタ等の半導体スイッチである請求項４に記載の電源装置。
【請求項６】
請求項３ないし５のいずれか１項に記載の電源装置を、１つ又は複数搭載し、電気モ−タ−を、１つ又は複数搭載し、充電装置と組み合わせて、総合制御することを特徴とする無公害自動車。
【発明の詳細な説明】
【技術分野】
【０００１】  本発明は、波動インピ−ダンスが通常の二線路の限界を超えて特別に低い特殊な分布定数線路と、それによる空間エネルギ−の取り込みと、その利用に関するものである。
【背景技術】
【０００２】  本発明は通常の二線式分布定数線路の限界を超えたもので、従来技術はまだない。
【発明の開示】
【発明が解決しようとする課題】
【０００３】  電圧（電場）に関するポテンシャルエネルギ−は、本質的に空間エネルギ−が持っている属性が自発したものであり、与えたものではない。
（この仮説は、背理法の思考実験によって証明されている）
そして電荷そのものにエネルギ−が無いことは、常識である。
ところが通常はある場所に電荷をためようとすると、その時瞬時に現われた電圧（電場）によって反作用（圧力）を受けてエネルギ−を要し、完全にエネルギ−保存の法則に支配されてしまうことになるのである。――――――そしてこれが常識でる。――――――
もしもこのとき現われる反作用が一瞬でも遅れるとしたら、要するエネルギ−が小さくて、大きな空間エネルギ−を取り出して利用できることになる。
（このもしもが本発明の出発点であり、着想として最も重要な点である。）
【課題を解決するための手段】
【０００４】  上記目的を達するためには、まず波動インピ−ダンスが特別に低い特殊な分布定数線路が必要であるが、通常の分布定数線路では、二線式でも同軸ケ−ブルでもその波動インピ−ダンスは、基本式が示す通りある限界があり、あまり小さくならない。
伝播速度も  μεＶ２＝１  に支配され、誘電体があるため実際の伝播速度は光速度の２／３程度である。【０００５】  本発明の分布定数線路は、次に述べるように、線路に分布するインダクタンスを、限り無くゼロにする構造にしたため、その波動インピ−ダンスが限界を超えてゼロに近づき、伝播速度も光速度の限界を突破して、超光速になったのである。（観測済み）
もしも波動インピ−ダンスがゼロなら、エネルギ−を要せず線路に大量の電荷を送り込むことができる道理である。そして進行波が止まると法則どおり  Ｑ＝ＣＶ  となる大きな電圧（電界）が発現する道理である。つまり前記の反作用が一瞬遅れる道理である。【０００６】  実際の実験でも、電荷の波が進行中は、電圧（反作用）が小さく、半波長で行き止まりにしたこの分布定数線路では、終点で電荷の波が止まり、法則どおり  Ｑ＝ＣＶ  となる大きな電圧を発生したのである。（反射波のことではない、定電圧を観測している。）
つまり、課題であった前記反作用が、一瞬遅れたのである。
この電圧は、分布定数線路の基本式を変形しても導くことができるし、実際にも増大したのである。（これらはすべて実験事実である。）【０００７】  このとき、この電圧の増加分は、空間の属性であるポテンシャルエネルギ−そのものであり、まさに空間エネルギ−の発現である。  （そうでなければ説明がつかない。）【０００８】  そして、この分布定数線路に併設した、一対の集中定数線路（後述）から、この増大したエネルギ−を取り出し、利用することで、本発明の課題を解決することができる。
（この分布定数線路に、マルチタップや集中定数線路をつけたものをまとめて超光速線路と呼ぶ。）
先ずは、この超先速線路のことから説明することにする。【０００９】  即ち、互いに絶縁した２Ｎ本（Ｎは２以上の整数）の導線を、各導線の断面中心が正２Ｎ角形または一直線となるように束ねた、ある適当な長さの２Ｎ本線路があり、互いに１本おきにＮ線をつないだ一対のＮ結線端子（隣接する導線に互いに逆電流が流れる結線）を連結することで、２Ｎ本の分布定数線路を形成し、一方その分布定数線路の途中においては、前記Ｎ結線端子のＮ結線を、Ｎ対に分離して、互いに適当な間隔に離した状態の端子を、複数箇所配置したことによるマルチタップを備えた超光速線路。
（このとき導線の断面形状は円形に限定しない）【００１０】  図１は互いに絶縁した４本の導線を、４線の断面中心が正方形となるように束ねて４本線路とし、互いに１本おきに２本の線をつないだ一対の２結線端子を連結してなる、４本線の分布定数線路の説明図である。（近接して隣合う線に必ず逆電流が流れる形である）
（尚、導線内に図示の印は、電流の向きを識別するものである。）【００１１】  この構造と結線により、近接して隣合う線に逆電流が流れるから、互いに磁力線の二重相殺が起き、従来の二線式分布定数線路に比べ極端に自己インダクタンスが小さくなり、その結果波動インピ−ダンスが非常に小さくなり、更には伝播速度が、基本式から導いても測定デ−タからも、光速度の限界を大きく（数倍に）超えたのである。
（尚、４本の導線の断面中心を一直線に束ねて、前記のように２結線端子を連結しても、磁力線の二重相殺が起きるから、本発明の概念の範囲内である。）【００１２】  さて、その次に重要な事は、２Ｎ本の分布定数線路の途中に設けたマルチタップと一対の集中定数線路のことである。
まず基本的なことは、２Ｎ本の分布定数線路の中で増大したエネルギ−は、通常の集中定数線路から取り出さないと、元の低い状態に戻って全く意味がないと言うことである。【００１３】  そして、その線路内にある電荷を取り出すとき、その電荷が多い所も少ない所も、すべて均一化し、まだ振動が治まらないときも、強制的に振動を平定し、どのタップにも全く同じ電流が同時に流れるようにする必要がある。【００１４】  即ち、前記マルチタップに、その各タップに同じ電流を流すための無誘導コイル群を設け、同じ極性となるタップ同士を連結して一対の出力端子とすることで、一対の集中定数線路を併設したことを特徴とする超光速線路である。【００１５】  具体例では、図２のように無誘導コイル群を直列リンクするように配置し、同じ極性となるタップ同士を連結して一対の出力端子とすることで、一対の集中定数線路を形成して、どのタップにも全く同じ電流（矢印はすべて同じ電流）が流れるようにしたのである。
（この無誘導コイルは、同一コアに２線巻して、並列に流すと無誘導になる結線。）【００１６】  尚、前記段落０００９で述べた、前記Ｎ結線端子のＮ結線を、Ｎ対に分離して、互いに適当な間隔に離した状態の端子、というのを具体例で説明すると、図２のように上段にある導線の＋／−、次は適当な間隔を取って下段にある導線の＋／−というように（別の組合せでも良いが）２線で引き出すことをいう。（四線同時は不可、再び超光速になる）【００１７】  以上のような概念のもとに、２Ｎ本線路を束ね、２Ｎ本の分布定数線路とし、マルチタップに無誘導コイル群を設けて集中定数線路を併設した超光速線路である。【００１８】  ところで、２Ｎ本線路を束ねるとき、中心に心線を加えた方が製作しやすい場合があるし、あるいは巻枠にガイドを設けたり、Ｕ字溝を設けたりすることも良い。【００１９】  逆に、２Ｎ本線路を巻枠に巻くとき、その方法とその装置を工夫することで、すべてのガイドや溝を無くし、連続密着巻きにすることで、さらに磁力線の二重相殺が進み、さらなるインダクタンスの減少によるインピ−ダンスの減少を期待することができる。【００２０】  以上述べてきたような超光速線路を用いて、前記Ｎ結線端子から前記分布定数線路へ電荷を供給し、前記一対の集中定数線路から、増大したポテンシャルエネルギ−を取り出すことが、第二の発明である電源装置の基本概念である。【００２１】  前記の基本概念を実際の装置にする方式として、分布定数線路の線路長に適応したＬＣ共振回路を設け、前記超光速線路との間に、切り換えスイッチを設け、この切り換え操作の繰り返しで、超光速線路のポテンシャルエネルギ−を自己増殖させる方式である。
（図３は、この方式を図示した簡単な原理図である。）【００２２】  即ち、前記超光速線路を用い、前記分布定数線路を巻枠に巻いて小型化し、前記一対の集中定数線路の形成を容易にし、前記分布定数線路の線路長に適応した波長のＬＣ共振回路を設け、それによる電荷を前記Ｎ結線端子から前記分布定数線路へ供給することと、前記一対の集中定数線路から、増大したポテンシャルエネルギ−を、再び前記ＬＣ共振回路に戻すこととを、切り換えスイッチが行い、その繰り返しサイクルによって、前記超光速線路のポテンシャルエネルギ−が自己増殖するようにしたのが、具体的な電源装置の方式である。【００２３】  この装置には、自己増殖をあるレベルで一定にする制御装置が当然不可欠である。【００２４】  このとき、前記切り換えスイッチはトランジスタ等の半導体スイッチが望ましい。
（この切り換えスイッチは、ロスの少ないことが非常に重要である。）【００２５】  以上のような電源装置であれば、当然いろいろな用途が考えられるが、中でも無公害自動車の実現はその価値が非常に大きい。【００２６】  即ち、本発明の電源装置を１つ又は複数搭載し、電気モ−タ−を一つ又は複数搭載し、充電装置と組み合わせて、総合制御することで究極の無公害自動車となるのである。
【発明の効果】
【００２７】  超光速線路の機能により「電場におけるポテンシャルエネルギ−は空間エネルギ−そのものである」ということが証明できたことである。
そして、空間エネルギ−を利用したこの電源装置は、地球温暖化防止対策として、究極のものとなるのである。
【発明を実施するための最良の形態】
【００２８】  主として、本発明の電源装置についての実施の形態を、図４に基づいて説明する。【００２９】  図４は、前記段落００２１ないし００２４の内容の電源装置の実施形態である。
まず、４本線の分布定数線路７  と無誘導コイル群８  からなる超光速線路がある。【００３０】  そして、自己インダルタンス１  とコンデンサ２  によりＬＣ共振回路を構成し、それによる電荷を、ＭＯＳ−ＦＥＴなどの半導体切り換えスイッチ３  により、２結線端子６から分布定数線路７  へ供給し、ダイオ−ド５  によってその線路に電荷を閉じ込め、増大したポテンシャルエネルギ−を、無誘導コイル群８  によって構成される一対の集中定数線路から、ＭＯＳ−ＦＥＴなどの半導体切り換えスイッチ４  を経由して、再び前記ＬＣ共振回路に戻すことを行い、これを繰り返すことで、超光速線路のポテンシャルエネルギ−を自己増殖させるようにした、本発明の電源装置の形態である。【００３１】  このとき超光速線路側が、定電圧制御１１  によって規制しているコンデンサ１０  の電圧を越えると、ダイオ−ド９  を経てそのエネルギ−が出力側１２  へ流れることになり、自己増殖した空間エネルギ−を取り出すことができるのである。
当然のことながら、本発明の電源装置は電源（エネルギ−）を必要としないのである。【００３２】  尚、線路に供給する波の半波長は、線路の波動インピ−ダンス等によって異なるが、およそ分布定数線路７  の線路長の２倍前後が目安である。
【図面の簡単な説明】
【００３３】
【図１】  ４本線の分布定数線路と２結線端子の説明図
【図２】  マルチタップと無誘導コイル群の説明図
【図３】  ＬＣ共振回路と超光速線路のエネルギ−自己増殖の原理図
【図４】  電源装置の実施の形態
【図１】
2009077615.tif 000003
【図２】
2009077615.tif 000004
【図３】
2009077615.tif 000005
【図４】
2009077615.tif 000006